(57)【要約】【課題】  電極をエッチング処理で加工することなく簡単且つ低コストで製作することができる触媒反応装置を提供する。【解決手段】  光触媒と、光触媒を電極間の放電によって発生する紫外線で励起する放電装置とを備える光触媒反応装置において、プラス側電極20及びマイナス側電極24は、金属製の枠26にワイヤ28を取付けて形成される。これによれば、プラス側電極20及びマイナス側電極24をエッチング処理で加工することなく簡単且つ低コストで製作することができる。【選択図】        図２
2005279400.tif 000002
【特許請求の範囲】
【請求項１】
光触媒と、電極間の放電により前記光触媒を励起させる放電装置とを備えた触媒反応装置において、
枠体にワイヤを取付けて前記電極を形成したことを特徴とする触媒反応装置。
【発明の詳細な説明】
【技術分野】
【０００１】
本発明は、光触媒と、光触媒を電極間の放電によって発生する紫外線で励起する放電装置とを備える触媒反応装置に関する。
【背景技術】
【０００２】
従来、光触媒と、光触媒を電極間の放電によって発生する紫外線で励起する放電装置とを備える触媒反応装置としては、高電圧を発生する高電圧発生電源と、高電圧発生電源が接続されるプラス側電極と、プラス側電極の表裏面を挟むように配置されている一対の光触媒と、各光触媒をプラス側電極との間に挟むように配置されると共に、高電圧発生電源が接続されるマイナス側電極とからなるものが知られている（例えば、特許文献１参照）。これによれば、高電圧発生電源から高電圧パルスをプラス側電極とマイナス側電極との間に印加することで、プラス側電極、マイナス側電極及び光触媒を通過して流れる空気の絶縁が部分的に破れ、光触媒の両面側にあるプラス側電極とマイナス側電極との間でコロナ放電が起きることで紫外線が発生して光触媒が励起され、空気中の臭いの元になっている有機物が分解される。
【特許文献１】特開２００３−２７５５７号公報
【発明の開示】
【発明が解決しようとする課題】
【０００３】
上述の従来技術では、放電を行なうための電極が縦横に複数の桟を有する格子板状に形成されているが、電極の材質は一般にステンレス製であるため、その製造に際しては、ステンレスの薄板材をエッチング処理で少しずつ溶かしながら所望の形状に仕上げなければならず、電極を製作する上で工数とコストが嵩むという問題点があった。また、上記エッチング処理の際にエッチング剤を使用しなければならず、廃液処理に注意が必要であるという懸念も生じていた。
【０００４】
本発明は、このような状況を鑑みてなされたもので、電極をエッチング処理で加工することなく簡単且つ低コストで製作することができる触媒反応装置を提供することを目的とする。
【課題を解決するための手段】
【０００５】
請求項１記載の発明は、光触媒と、電極間の放電により前記光触媒を励起させる放電装置とを備えた触媒反応装置において、枠体にワイヤを取付けて前記電極を形成したことを特徴とする。
【０００６】
こうすると、ワイヤを枠体に取付けるだけで、従来と同様に格子状の電極が形成されるため、電極をエッチング処理で加工することなく簡単且つ低コストで製作することができる。また、電極をエッチング処理で加工することがないため、エッチング剤の廃液処理も不要になる。
【発明を実施するための最良の形態】
【０００７】
以下、本発明に係る触媒反応装置の実施形態を図面に基づいて説明する。図１乃至図３は、本発明に係る触媒反応装置の一実施形態を説明する図である。
【０００８】
図１は、本実施形態における放電型の光触媒反応装置10を示す概略構成図である。同図において、光触媒反応装置10は、放電装置12と一対の光触媒14，14とから構成されている。放電装置12は、数ｋＶ乃至数十ｋＶの高電圧を発生する高電圧発生用電源16と、高電圧発生用電源16のプラス側リード端子18が接続されているプラス側電極20と、高電圧発生用電源16のマイナス側リード端子22が接続され、プラス側電極20を挟むように配置されている一対のマイナス側電極24，24とにより構成されている。一対の光触媒14，14は、プラス側電極20を挟むようにプラス側電極20と一対のマイナス側電極24，24との間に配置されている。
【０００９】
図２は、光触媒反応装置10のプラス側電極20及びマイナス側電極24の詳細を示す図である。ここでのプラス側電極20及びマイナス側電極24は、金属製の枠26にワイヤ28を固定支持することで構成される。枠26は、略矩形状の開口部30を有する略矩形板状に形成されている。枠26の外周には、一の頂点を内側とする略三角形状に切込部32が縦横で対向するように所定間隔Ｗで形成されている。尚、枠26の素材としては、ステンレス鋼板等が挙げられる。また所定間隔Ｗは、９mm以上とすることが好適である。
【００１０】
枠26には、金属製の線材からなるワイヤ28が格子状に固定されている。ワイヤ28は、枠26の一縦辺部の一端部に形成されている第１縦切込部32ａに一端部が固着され、第１縦切込部32ａから対向する他縦辺部の一端部に形成されている第２縦切込部32ｂまで架設され、次いで、第２縦切込部32ｂに引っ掛けて第２縦切込部32ｂから所定間隔Ｗの位置に形成されている第３縦切込部32ｃまで架設され、次いで、第３縦切込部32ｃに引っ掛けて第３縦切込部32ｃから対向する一縦辺部に形成されている第４縦切込部32ｄまで架設され、次いで、第４縦切込部32ｄに引っ掛けて第４縦切込部32ｄから所定間隔Ｗの位置に形成されている第５縦切込部32ｅまで架設され、この第５縦切込部32ｅに引っ掛けられている。そして、ワイヤ28は、縦辺部の一端部から他端部に渡って以上のような架設が繰り返されている。次に、ワイヤ28は、縦辺部の他端部に形成されている切込部32から一横辺部の一端部に形成されている第１横切込部32Ａまで架設され、次いで、第１横切込部32Ａに引っ掛けて第１横切込部32Ａに対向する他横辺部の一端部に形成されている第２横切込部32Ｂまで架設され、次いで、第２横切込部32Ｂに引っ掛けて第２横切込部32Ｂから所定間隔Ｗの位置に形成されている第３横切込部32Ｃまで架設され、次いで、第３横切込部32Ｃに引っ掛けて第３横切込部32Ｃから対向する一横辺部に形成されている第４横切込部32Ｄまで架設され、次いで、第４横切込部32Ｄに引っ掛けて第４横切込部32Ｄから所定間隔Ｗの位置に形成されている第５横切込部32Ｅまで架設され、この第５横切込部32Ｅに引っ掛けられている。そして、ワイヤ28は、横辺部の一端部から他端部に渡って以上のような架設が繰り返され、ワイヤ28の他端部が横辺部の他端部で固着されている。尚、ワイヤ28の素材としては、ステンレス鋼線、タングステン鋼線等が挙げられる。また、プラス側電極20とマイナス側電極24との間で良好な放電を行なう上で、ワイヤ28の直径は0.1mm以下が好適であり、またワイヤ28の表面粗さは粗い方が好適である。
【００１１】
尚、枠26は、略矩形状の開口部30を有する略矩形板状に形成されているが、他の形状の開口部を有する他の形状の板状に形成されてもよい。また、枠26の外周にある切込部32は三角形状に形成されているが、切込部32は枠26の外側を開口するＵ字形状等の他の形状に形成されてもよい。
【００１２】
また、プラス側電極20及びマイナス側電極24は、一のワイヤ28を縦辺部間及び横辺部間に架設して形成されているが、一又は複数のワイヤ28を縦辺部と横辺部との間に架設して形成されてもよく、更には複数のワイヤ28を縦辺部間及び横辺部間に架設して形成されてもよい。
【００１３】
光触媒14は、セラミック材によるハニカム構造体若しくは三次元構造体、又は表面にシボ模様が施されている格子状のポリフェニレンサルファイド成形材を基体として、この基体の表面に光触媒反応を起す酸化チタンがコーティングされて形成されている。尚、基体が格子状のポリフェニレンサルファイド成形材である場合には、一の光触媒14の開口部に他の光触媒の桟の交点が位置するように積層されて形成される。
【００１４】
次に、以上のように構成されている光触媒反応装置10の作用について説明する。高電圧発生用電源１から数ｋＶ乃至数ｋＶの高電圧パルスをプラス側電極20と一対のマイナス側電極24，24との間に印加すると、プラス側電極20、一対の光触媒14，14及び一対のマイナス側電極24，24を通過して流れる空気の絶縁が部分的に破れ、一対の光触媒14，14の両面にあるプラス側電極20とマイナス側電極24，24との間でコロナ放電が起きる。これにより、プラス側電極20とマイナス側電極24，24との間に紫外線が発生して光触媒14，14が励起され、空気中の臭いの元となっている有機物が分解される。また、同時に発生するオゾンの酸化作用によっても空気中の有機物が分解され、光触媒14，14の反応と共に脱臭効果が高められる。
【００１５】
また、プラス側電極20及びマイナス側電極24の製造に際しては、先ず、枠26の第１縦切込部32ａにワイヤ28の一端部を固着した後、ワイヤ28が開口部30にて縦横の格子状に配置されるように、ワイヤ28を枠26の第２縦切込部32ｂ〜第５縦切込部32ｅ及び第１横切込部32Ａ〜第５横切込部32Ｅに引っ掛けながら架設し、最後にワイヤ28の他端部を枠26の横切込部に固着すればよい。すなわちここでは、金属製の枠26にワイヤ28を固定するだけで、プラス側電極20及びマイナス側電極24に形成される縦横の桟をワイヤ28で形成することができるため、プラス側電極20及びマイナス側電極24をエッチング処理で加工することなく簡単且つ低コストで製作することができる。また、プラス側電極20及びマイナス側電極24をエッチング処理で加工することがないため、エッチング剤の廃液処理も不要になる。
【００１６】
以上のように本実施例では、光触媒14と、電極であるプラス側電極20とマイナス側電極24との間の放電により、光触媒14を励起させる放電装置12とを備えた触媒反応装置において、枠26にワイヤ28を取付けてプラス側電極20やマイナス側電極24を形成している。
【００１７】
こうすると、ワイヤ28を枠体である枠26に取付けるだけで、従来と同様に格子状の電極（プラス側電極20とマイナス側電極24）が形成されるため、これらのプラス側電極20やマイナス側電極24をエッチング処理で加工することなく簡単且つ低コストで製作することができると共に、エッチング剤の廃液処理も不要になる。
【００１８】
尚、本実施形態において、プラス側電極20及びマイナス側電極24は、枠26の外周に複数の切込部32を形成し、ワイヤ28を切込部32に固着又は切込部32に引っ掛けて、ワイヤ28を開口部30に架設しているが、図３に示すように、金属製の枠体である枠50の端部に複数の孔52を形成し、ワイヤ28を孔52に固着又は孔52に通して引っ掛けて、ワイヤ28を枠50の開口部54に架設してもよい。
【００１９】
本発明は上記実施例に限定されるものではなく、本発明の要旨の範囲内において種々の変形実施が可能である。
【図面の簡単な説明】
【００２０】
【図１】本発明に係る光触媒反応装置の一実施形態を示す図である。
【図２】図１のプラス側電極及びマイナス側電極を示す図である。
【図３】プラス側電極及びマイナス側電極の他の例を示す図である。
【符号の説明】
【００２１】
12  放電装置
14  光触媒
20  プラス側電極（電極）
24  マイナス側電極（電極）
26，50  枠（枠体）
28  ワイヤ
【図１】
2005279400.tif 000003
【図２】
2005279400.tif 000004
【図３】
2005279400.tif 000005